(57)【要約】【課題】ＬＥＤとプリント基板を半田付けすることにより、基板への固定と電気配線を同時に行い、リード配線の手間を省くこと及び、プリント基板を多数繋ぎ合わせて看板のサイズを自由に決定することができるＬＥＤ看板用基板を提供する。【解決手段】本ＬＥＤ看板用基板は、２端子ＬＥＤのピンピッチ幅間隔で、プラス極導通孔とマイナス極導通孔が交互に二行ずつ縦に繰り返されるようにマトリクス状に配列された、もしくは、二列ずつ横に繰り返されるようにマトリクス状に配列される。また、本ＬＥＤ看板用基板は、２端子ＬＥＤのピンピッチ幅間隔で、プラス極導通孔またはマイナス極導通孔の縦２個もしくは横２個をそれぞれ１組とし、それぞれの組が交互に配列され、隣接する組の導通孔の極性が異なるようにマトリクス状に配列される。【選択図】図１
0003134801.tif 000002
【実用新案登録請求の範囲】
【請求項１】
２端子ＬＥＤのピンピッチ幅間隔で、プラス極導通孔とマイナス極導通孔が交互に二行ずつ縦に繰り返されるようにマトリクス状に配列された、もしくは、二列ずつ横に繰り返されるようにマトリクス状に配列されたことを特徴とするＬＥＤ看板用基板。
【請求項２】
２端子ＬＥＤのピンピッチ幅間隔で、プラス極導通孔またはマイナス極導通孔の縦２個もしくは横２個をそれぞれ１組とし、それぞれの組が交互に配列され、隣接する組の導通孔の極性が異なるようにマトリクス状に配列されたことを特徴とするＬＥＤ看板用基板。
【請求項３】
プラス極導通孔又はマイナス極導通孔と導通された電源入出力用ジョイント端子が設けられていることを特徴とする請求項１又は２に記載のＬＥＤ看板用基板。
【考案の詳細な説明】
【技術分野】
【０００１】
本考案は、ＬＥＤ（Light Emitting Diode）をマトリクス状に配列させて文字や図形などを表示するＬＥＤ看板用基板に関するものである。
【背景技術】
【０００２】
ＬＥＤ看板のように、発光ダイオードを使用して文字を形成するには、発光ダイオードをマトリクス状に配置したプリント基板を使用し、発光ダイオードの点灯箇所をソフトウェアで制御し文字を形成する方法（例えば特許文献１参照）と、ＬＥＤを直列に数十個並べたケーブル状の既製品を使用し、文字型にレイアウトする方法（例えば特許文献２参照）が一般的である。
しかし前者の場合、予めソフトウェアでプログラムされた文字(フォント)や大きさ(文字サイズ)の範囲内での仕様となり、また、看板自体のサイズも限定されるため、看板を設置しようとする者にとっては看板を選択する際の自由度が低いものとなってしまう。また後者の場合も、文字の太さやフォントなどが限定されてしまう。
特に、看板のサイズ、文字レイアウト又は文字フォント等を自由に選択できるオーダーメイドのＬＥＤ看板を作成する際には、デザイン設計に従ってＬＥＤ一つ一つを文字型に固定板に固定した後、ＬＥＤのアノード端子・カソード端子をリード線で電気配線していく必要がある。
【０００３】
【特許文献１】登録実用新案第３０６３７０５号公報
【特許文献２】登録実用新案第３０２２８００号公報
【考案の開示】
【考案が解決しようとする課題】
【０００４】
上述したように、看板のサイズ、文字レイアウト等を自由に選択できるオーダーメイドのＬＥＤ看板を作成する際には、デザイン設計に従いＬＥＤを文字型に固定板に固定した後、ＬＥＤ端子を電気配線していく必要がある。しかし、文字デザインが複雑になり、使用するＬＥＤが多数になると配線の手間が増えて現実的でない。
本考案は、上記の問題点を解決し、ＬＥＤとプリント基板を半田付けすることにより、基板への固定と電気配線を同時に行い、リード配線の手間を省くこと及び、プリント基板を多数繋ぎ合わせて看板のサイズを自由に決定することができるＬＥＤ看板用基板を提供することを目的とする。
【課題を解決するための手段】
【０００５】
上記目的を達成するため、本考案のＬＥＤ看板用基板は、２端子ＬＥＤのピンピッチ幅間隔で、プラス極導通孔とマイナス極導通孔が交互に二行ずつ縦に繰り返されるようにマトリクス状に配列された、もしくは、二列ずつ横に繰り返されるようにマトリクス状に配列されたことを特徴とする。これにより、縦一列又は、横一列又は、縦横一列ずつの繰り返し配列では表現することが困難であった曲線部分の滑らかな表現が可能となる。また、ピンピッチが５．０８ｍｍである四端子ＬＥＤの使用が可能となり、使用可能なＬＥＤの種類が豊富となりＬＥＤの選択範囲が広がるといった効果がある。
【０００６】
また、本考案のＬＥＤ看板用基板は、２端子ＬＥＤのピンピッチ幅間隔で、プラス極導通孔またはマイナス極導通孔の縦２個もしくは横２個をそれぞれ１組とし、それぞれの組が交互に配列され、隣接する組の導通孔の極性が異なるようにマトリクス状に配列されたことを特徴とする。上記と同様に、縦一列又は、横一列又は、縦横一列ずつの繰り返し配列では表現することが困難であった曲線部分の滑らかな表現が可能となる。また、ピンピッチが５．０８ｍｍである四端子ＬＥＤの使用が可能となり、使用可能なＬＥＤの種類が豊富となりＬＥＤの選択範囲が広がるといった効果がある。
【０００７】
上記の本考案のＬＥＤ看板用基板において、プラス極導通孔又はマイナス極導通孔と導通された電源入出力用ジョイント端子が設けられていることが好ましい。隣接する基板同士の電源入出力用ジョイント端子同士を結線することで、複数の基板の電位を同一に保つことができ、電源回路と基板の結線が一箇所で済むという結線作業の手間の削減効果がある。
【考案の効果】
【０００８】
本考案のＬＥＤ看板用基板によれば、プリント基板を多数繋ぎ合わせて自由な看板のサイズ及び、曲線の滑らかな自由な文字レイアウトをしたＬＥＤ看板の製作が可能となる。
これは従来の手法であるＬＥＤの点灯箇所をソフトウェアで制御する方法又は、ケーブル状の既製品を文字型に並べる方法では成しえなかった看板サイズや文字レイアウト等のオリジナル性を、上述したような導通孔の新しい配置により可能としたものである。
【考案を実施するための最良の形態】
【０００９】
以下、本考案の実施例について、以下に図面を参照しながら詳細に説明していく。
【実施例１】
【００１０】
プリント基板にＬＥＤを並べて文字を形成するためには、基板上のあらゆる箇所に、自由にＬＥＤを取り付けることができなければならない。また、一方でＬＥＤの種類も多種多様のものを使用出来ることが望ましい。
このために、二端子ＬＥＤのピンピッチ幅である２．５４ｍｍ間隔で基板全体にプラス極およびマイナス極と導通した孔（それぞれ「プラス極導通孔」，「マイナス極導通孔」と定義する）を開け、それぞれの導通孔が交互に二行ずつ縦に繰り返されるようにマトリクス状に配列されたプリント基板を用いる（図１を参照）。
【００１１】
また、プラス極導通孔とマイナス極導通孔が交互に二列ずつ横に繰り返されるようにマトリクス状に配列されたプリント基板を用いることでもよい（図２を参照）。
また、２端子ＬＥＤのピンピッチ幅間隔で、プラス極導通孔またはマイナス極導通孔の縦２個もしくは横２個をそれぞれ１組とし、それぞれの組が交互に配列され、隣接する組の導通孔の極性が異なるようにマトリクス状に配列されたものでもよい（図３を参照）。
【００１２】
これらにより、縦一列又は、横一列又は、縦横一列ずつの繰り返し配列では表現することが困難であった曲線部分の滑らかな表現が可能となる。また、ピンピッチが５．０８ｍｍである四端子ＬＥＤの使用が可能となり、使用可能なＬＥＤの種類が豊富となりＬＥＤの選択範囲が広がるといった効果もある。
【００１３】
また、プリント基板を多数繋ぎ合わせて大型のＬＥＤ看板を作成する際には、使用する基板の数だけ電源回路と結線する必要がある。
そこで、個々のプリント基板にプラス極導通孔又はマイナス極導通孔と導通した電源入出力用ジョイント端子を設け、隣接する基板同士の電源入出力用ジョイント端子同士を結線することで複数の基板の電位を同一に保つこととした。これにより、電源回路と基板の結線は一箇所で済むこととなるのである。
【産業上の利用可能性】
【００１４】
本考案のＬＥＤ看板用基板によれば、看板のサイズ、文字レイアウト等を自由に選択できるオーダーメイドのＬＥＤ看板に有用である。
【図面の簡単な説明】
【００１５】
【図１】プラス極導通孔とマイナス極導通孔が交互に二行ずつ縦に繰り返されるようにマトリクス状に配列されたＬＥＤ看板用基板
【図２】プラス極導通孔とマイナス極導通孔が交互に二列ずつ横に繰り返されるようにマトリクス状に配列されたＬＥＤ看板用基板
【図３】プラス極導通孔またはマイナス極導通孔の縦２個を１組とし、それぞれの組が交互に配列され、隣接する組の導通孔の極性が異なるようにマトリクス状に配列されたＬＥＤ看板用基板
【図４】二端子ＬＥＤと四端子ＬＥＤ
【符号の説明】
【００１６】
１  二端子ＬＥＤ
２  四端子ＬＥＤ
３  電源入出力用ジョイント端子
４  プラス極導通孔とマイナス極導通孔が交互に二行ずつ縦に繰り返された配列
５  プラス極導通孔とマイナス極導通孔が交互に二列ずつ横に繰り返された配列
６  プラス極導通孔またはマイナス極導通孔の縦２個を１組とし、それぞれの組が交互に配列され、隣接する組の導通孔の極性が異なる配列
【図１】
0003134801.tif 000003
【図２】
0003134801.tif 000004
【図３】
0003134801.tif 000005
【図４】
0003134801.tif 000006